Podtech/llm-jp-corpus-v4-ja_patent huggingface dataset:
(57)【要約】      （修正有）【課題】コーヒーカップにスプーンを取り付けたままカップを傾けてもスプーンが落ちずに、コーヒー、紅茶等を飲むことが出来るティースプーンの保持具を提供する。【解決手段】保持具１は食器などに使うポリプロピレン等の素材、約１，５ｍｍ、厚みの物を使い、折り曲げてスプリングの状態に成形する。ティースプーン挟持部２はスプーンの柄の部分が軽く入るよう右側に左側に使えるよう折り曲げる。ストッパ３はティーカップの縁に当たるよう折り曲げて深く入らないようにする。【選択図】図２
0003104605.tif 000002
【実用新案登録請求の範囲】
【請求項１】
コーヒーカップに、スプーン保持具を挟み、その保持具の挟持部にスプーンを挟持し、カップを傾けても、スプーンが落ちないよう考案したもので、コーヒー、紅茶等を飲むとき、いちいちコヒー皿を必要としない。
【考案の詳細な説明】
【技術分野】
【０００１】  本考案は、コーヒーカップに、スプーンを保持させる保持具である。
【背景技術】
【０００２】  今までは、コーヒー紅茶等飲む時、コーヒーカップにスプーンが必要で、必ずコーヒー皿の上に乗せて使用したものである。
【考案の開示】
【考案が解決しようとする課題】
【０００３】  コーヒーカップに保持具を取り付けスプーンを挟持し、カップを傾けてもスプーンが落ちないよう考案したものである。
【課題を解決するための手段】
【０００４】  一人でコーヒーを飲むとき。又親しい友達と飲むとき、一々コーヒー皿にカップとスプーンを乗せて出すのも面倒である。手軽にテイーカップにスプーンのみでコーヒーが飲めたらと考案したものである。
【考案の効果】
【０００５】  友人５人程招いて使用し大変好評でした。保持具を付けたテーカップに、スプーンにてインスタントコーヒーを入れ、砂糖等を加え、湯を注ぎ、スプーンにて攪拌し、保持具に付いた挟持部にスプーンの柄の部分をを挟み飲んでみたが、べつにスプーンが邪魔にならず普通に飲むことが出来た。
【考案を実施するための最良の形態】
【０００６】  食器などに使う、原料樹脂ポリプロピレン等の素材を使い、型をとり、適度の温度で加工しやすく、又折り曲げてスプリングとしての状態もよい。
【実施例】
【０００７】  以下は添付図面に従って、実施例を説明する。１は食器などに使うポリプロピレン等の素材、約１，５ｍｍ、厚みの物を使い、折り曲げてスプリングの状態もよい。
２はテースプーン挟持部でスプーンの柄の部分が軽く入るよう右側に左側に使えるよう折り曲げる。
３はテーカップの縁に当たるよう折り曲げて深く入らないようストッパ役である。
【図面の簡単な説明】
【０００８】
【図１】テースプーン保持具側面図
【図２】使用斜視図
【符号の説明】
【０００９】１  テースプーン保持具
２  テースプーン挟持部
３  カップ縁へのストッパー
４  テーカップ
５  スプーン
【図１】
0003104605.tif 000003
【図２】
0003104605.tif 000004
【手続補正書】
【提出日】平成16年4月28日(2004.4.28)
【手続補正１】
【補正対象書類名】実用新案登録請求の範囲
【補正対象項目名】全文
【補正方法】変更
【補正の内容】
【実用新案登録請求の範囲】
【請求項１】
コーヒーカップにスプーンを保持させる物で、食器などに使われる合成樹脂を使い、板状の物をＵ字型に折り曲げ、合成樹脂特有の弾力を利用しコーヒーカップの縁に挟めるように加工し深く差し込まないよう両サイドにＬ字型に内側に折り曲げ加工しストッパーとする、またスプーンを軽く挟持出来るようにストッパーの上部にコの字型に曲げて両サイドに加工する、コーヒーカップを傾けてもスプーンが落ちないよう考案したものである、以上のように構成された、テースプーン保持具。
(57)【要約】【課題】  旅館及びホテル等に置いてあるスリツパは、同じ物を不特定多数の人が使用する為に、白セン菌等に感染する恐れが多分にあり、不衛生でもあったが、感染を防ぎ、スリッパを清潔に保つことを可能にする。【解決手段】  同一のスリツパで、使用前に中敷きを取り付け、使用後は別の中敷きに取り替える【選択図】図１
0003104604.tif 000002
【実用新案登録請求の範囲】
【考案の詳細な説明】
【技術分野】
【０００１】  本考案はスリッパの中敷きに関するものである。
【背景技術】
【０００２】  従来は、スリッパの中敷きとしての物は無かった。
【考案の開示】
【考案が解決しようとする課題】
【０００３】  解決しようとする問題点は、同一のスリッパを不特定多数の人が使用した場合、白セン菌等に感染する恐れがあり、又不衛生でもあった。
【課題を解決しようとする手段】
【０００４】  へちま型の敷き板（１）の前部上側にカバー（２）をつけ、後部下側にボックス（３）をつけ、カバー（２）の後部周辺に沿って返し板（４）を取り付ける。
【考案の効果】
【０００５】  本考案の中敷きは、同一のスリッパを不特定多数の人が使用する旅館及びホテル等の施設で、スリッパを使用する毎に交換すれば、白セン菌等に感染することも無くなるばかりか、スリッパを清潔に保てるので、使用者も安心してスリッパを履くことができる。
【考案を実施するための最良の形態】
【０００６】  敷き板は３ｍｍ程度の布を、カバー及び返し板、固定ボックスは１ｍｍ程度の布を用いて各々の形状、大きさに合わせて縫製する。
【産業上の利用可能性】
【０００７】  敷き板及びカバーはスリッパ前方の中に、スリッパの後部部分をボックスの中に入れ、返し板を折り返してスリッパに固定する。
【図面の簡単な説明】
【０００８】
【図１】スリッパの中敷きを示した正面図である。
【図２】スリッパの中敷きを示した側面図である。
【符号の説明】
【０００９】１  敷き板
２  カバー
３  ボックス
４  返し板
【図１】
0003104604.tif 000003
【図２】
0003104604.tif 000004
【手続補正書】
【提出日】平成16年3月12日(2004.3.12)
【手続補正１】
【補正対象書類名】明細書
【補正対象項目名】０００４
【補正方法】変更
【補正の内容】
【０００４】  へちま型の敷き板（１）の前部上側にカバー（２）をつけ、後部下側にベルト（３）を直角方向にして取り付ける。
【手続補正書】
【提出日】平成16年3月12日(2004.3.12)
【手続補正１】
【補正対象書類名】明細書
【補正対象項目名】０００６
【補正方法】変更
【補正の内容】
【０００６】  敷き板は３ｍｍ程度の布を、カバー及びベルトは２ｍｍ程度の、布を用いて各々の形状、大きさに合わせて縫製する。
【手続補正書】
【提出日】平成16年3月12日(2004.3.12)
【手続補正１】
【補正対象書類名】明細書
【補正対象項目名】０００７
【補正方法】変更
【補正の内容】
【０００７】  敷き板及びカバーをスリッパの中に入れ、ベルトで挟んでスリッパに固定する。
【手続補正書】
【提出日】平成16年3月12日(2004.3.12)
【手続補正１】
【補正対象書類名】実用新案登録請求の範囲
【補正対象項目名】全文
【補正方法】変更
【補正の内容】
【実用新案登録請求の範囲】
【請求項１】
へちま型の敷き板（１）の前部上側にカバー（２）をつけ、後部下側にベルト（３）をつけたスリッパの中敷き。
【手続補正書】
【提出日】平成16年3月12日(2004.3.12)
【手続補正１】
【補正対象書類名】明細書
【補正対象項目名】０００９
【補正方法】変更
【補正の内容】
【０００９】  １  敷き板  ２  カバー  ３  ベルト
【手続補正２】
【補正対象書類名】図面
【補正対象項目名】全図
【補正方法】変更
【補正の内容】
【図１】
0003104604.tif 000005
【図２】
0003104604.tif 000006
(57)【要約】      （修正有）【課題】開閉がスムーズになり、ＣＤ・ＤＶＤ・フロッピー等の、取り出し、収納がらくになり、プラスチックケースと比べ、原価が安く、保管もかさばらず、壊れてケガをすることもない、特に廃棄する場合は、燃えるゴミとして、地球にやさしい紙ケースを提供する。【解決手段】ＣＤ・ＤＶＤ・フロッピー等のケースは、主にプラスチックケースだった、これを紙ケースにした一枚の厚紙を使い、ＣＤ等が入る面積を取り、それを包みこむように、上下左右から折りたたみ、フタを差しこみ、収納する。【選択図】図２
0003104601.tif 000002
【実用新案登録請求の範囲】
【請求項１】
ＣＤ・ＤＶＤ・フロッピー等を包装する時に、一枚の紙を使い、開閉が簡単に出来る、紙ケース
【考案の詳細な説明】
【考案の詳細な説明】
〔考案が解決しようとする課題〕
【０００１】従来ＣＤ・ＤＶＤ・フロッピー等を包装する場合、ほとんどが、プラスチックケースであり、紙ケースも一部あるが、紙ケースの場合フタが無く、収納・開閉に問題点を有していた
〔課題を解決するための手段〕
【０００２】上記目的を達成するために、一枚の紙の一部を、折りこみ、そこにフタを差しこみ、なをかつ、開閉をスムーズにした。
〔考案の効果〕
【０００３】この紙ケースを使えば、開閉がスムーズになり、ＣＤ・ＤＶＤ・フロッピー等の、取り出し、収納がらくになり、プラスチックケースと比べ、原価が安く、保管もかさばらず、壊れてケガをすることもない、特に廃棄する場合は、燃えるゴミとして、地球にやさしい。
【図面の簡単な説明】
【０００４】考案した、紙ケースの、平面図である。【０００５】考案した、紙ケースの実施例を示す、まず４面を内側に折りまげる。【０００６】２ツに折りたたみ、あとはフタを閉める。【０００７】折りこみの中にフタを差しこんだ、完成図である。
【符号の説明】
１  紙ケースを作るための、一枚の紙
２  ＣＤ・ＤＶＤ・フロッピー等を、収納する場所
３  ケースのフタになる部分
【図１】
0003104601.tif 000003
【図２】
0003104601.tif 000004
【図３】
0003104601.tif 000005
【図４】
0003104601.tif 000006
【手続補正書】
【提出日】平成16年1月19日(2004.1.19)
【手続補正１】
【補正対象書類名】実用新案登録請求の範囲
【補正対象項目名】全文
【補正方法】変更
【補正の内容】
【実用新案登録請求の範囲】
【請求項１】
一枚の紙の一部を折り込み、そこにフタを差し込み開閉が簡単に出来るＣＤ・ＤＶＤ・フロッピーケース
【手続補正２】
【補正対象書類名】明細書
【補正対象項目名】全文
【補正方法】変更
【補正の内容】
【考案の詳細な説明】
【考案が解決しようとする課題】
【０００１】従来ＣＤ・ＤＶＤ・フロッピー等を包装する場合、ほとんどがプラスチックケースであり、紙ケースも一部あるが、紙ケースの場合フタがなく収納・開閉に問題点を有していた
【課題を解決するための手段】
【０００２】上記目的を達成するために、一枚の紙の一部を折り込み、そこにフタを差し込み、なおかつ開閉をスムーズにした。
【考案の効果】
【０００３】この紙ケースを使えば開閉がスムーズになり、ＣＤ・ＤＶＤ・フロッピー等の取り出し、収納が楽になり、プラスチックケースと比べ原価が安く、保管もかさばらず、壊れてケガをするとこともない。特に破棄する場合は燃えるごみとして、地球にやさしい
【図面の簡単な説明】
【０００４】
【図１】考案した紙ケースの平面図である
【図２】考案した紙ケースの実施例を示す。まず４面を内側に折りまげる。
【図３】２つに折りたたみ、あとはフタを閉める。
【図４】折り込みの中にフタを差し込んだ完成品である。
【符号の説明】
【０００５】１．紙ケースを作るための一枚の紙
２．ＣＤ・ＤＶＤ・フロッピー等を収納する場所
３．ケースのフタになる部分
【手続補正書】
【提出日】平成16年4月28日(2004.4.28)
【手続補正１】
【補正対象書類名】実用新案登録請求の範囲
【補正対象項目名】全文
【補正方法】変更
【補正の内容】
【実用新案登録請求の範囲】
【請求項１】
一枚の紙の一部の面を、内側を折り込み、二重になった部分に一枚の紙の一部を差し込み、開閉が簡単に出来るＣＤ・ＤＶＤ・フレキシブルケ−ス
(57)【要約】      （修正有）【課題】風雨に対して耐久性のある、香を焚いたり蝋燭を灯したりする器具を提供する。【解決手段】台座１２と、台座の上に配置された後壁１４及び対向した一対の側壁１６、１８と、後壁及び側壁の上に配置された頂壁とを備え、台座及び頂壁の前面にそれぞれ設けられた溝２４に、一対の引き戸２２が摺動可能に配置されており、引き戸の対向した縁部には、引き戸を互いに遠去かる方へ摺動させて開放したとき、引き戸が脱落しないように側壁に係止する脱落防止用突起２２ａがそれぞれ設けられている。【選択図】図４
0003104606.tif 000002
【実用新案登録請求の範囲】
【請求項１】
墓前に配置される香炉であって、
台座と、前記台座の上に配置された後壁及び対向した一対の側壁と、前記後壁及び側壁の上に配置された頂壁とを備え、
前記台座及び頂壁の前面にそれぞれ設けられた溝に、一対の引き戸が摺動可能に配置されており、前記引き戸の対向した縁部には、前記引き戸を互いに遠去かる方へ摺動させて開放したとき、前記引き戸が脱落しないように前記側壁に係止する脱落防止用突起がそれぞれ設けられていることを特徴とする香炉。
【考案の詳細な説明】
【技術分野】
【０００１】
本考案は、墓前に配置される香炉に関する。
【背景技術】
【０００２】
従来、墓前で香を焚いたり蝋燭を灯したりする際、ステンレス製の受皿を用いて香を焚いたり蝋燭を灯したりするのが一般的であった。
【考案の開示】
【考案が解決しようとする課題】
【０００３】
しかしながら、上述のステンレス製の受皿では、香や蝋燭が風雨に直接曝されるため、香や蝋燭に火をつけにくかったり、香や蝋燭の炎が容易に消えてしまうという課題があった。また、ステンレス製の受皿で香を焚いたり蝋燭を灯したりするのは、見栄えが良くないという不都合もあった。
【０００４】
したがって、本考案は、風雨に対して耐久性のある器具を提供することを目的としている。
【課題を解決するための手段】
【０００５】
本願請求項１に記載の香炉は、台座と、前記台座の上に配置された後壁及び対向した一対の側壁と、前記後壁及び側壁の上に配置された頂壁とを備え、前記台座及び頂壁の前面にそれぞれ設けられた溝に、一対の引き戸が摺動可能に配置されており、前記引き戸の対向した縁部には、前記引き戸を互いに遠去かる方へ摺動させて開放したとき、前記引き戸が脱落しないように前記側壁に係止する脱落防止用突起がそれぞれ設けられていることを特徴とするものである。
【考案の効果】
【０００６】
本考案の香炉によれば、香炉の内部で香を焚いたり蝋燭を灯したりするので、香や蝋燭の炎が容易に消えてしまうおそれがなくなる。また、引き戸に脱落防止用突起が設けられているので、引き戸を開けたとき外れることがない。さらに、ステンレス製の受皿と比較して、見栄えが良くなった。
【考案を実施するための最良の形態】
【０００７】
次に添付図面を参照して、本考案の好ましい実施の形態に係る香炉について詳細に説明する。図１は、本考案の好ましい実施の形態に係る香炉を示した斜視図である。図１において全体として参照符号１０で示される本考案の好ましい実施の形態に係る香炉は、台座１２と、台座１２の上に配置された後壁１４及び対向した一対の側壁１６、１８と、後壁１４及び側壁１６、１８の上に配置された頂壁２０とを備えている。
【０００８】
香炉１０の前面には、一対の引き戸２２が摺動可能に配置されている。すなわち、台座１２及び頂壁２０の香炉１０の前面の個所には、案内路となる溝２４が設けられており、溝２４内に引き戸２２が嵌め込まれている。
【０００９】
引き戸２２の対向した縁部には、引き戸２２を互いに遠去かる方へ摺動させて開放したとき、引き戸２２が溝２４から脱落しないようにするための脱落防止用突起２２ａが設けられている。すなわち、図３に示されるように、引き戸２２の対向した縁部が後方に突出して脱落防止用突起２２ａを形成しており、引き戸２２を開放したとき、脱落防止用突起２２ａが側壁１６、１８に係止して、引き戸２２が外れないようになっている（図４参照）。引き戸２２には、好ましくは、格子が設けられている。
【００１０】
なお、台座１２、後壁１４、側壁１６、１８、頂壁２０、及び引き戸２２は、好ましくは、石材で形成されている。
【００１１】
本発明の香炉１０の使用に際しては、引き戸２２を開けて、香炉１０の内部に香や蝋燭を置き、香や蝋燭に火をつけた後、引き戸２２を閉める。或いは、香や蝋燭に火をつけた後、引き戸２２を開けたままにしておいてもよい。
【００１２】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１３】
例えば、香炉の各部の形状（即ち、台座１２、後壁１４、側壁１６、１８、頂壁２０、引き戸２２、脱落防止用突起２２ａの形状）は、図示したものに限定されない。
【図面の簡単な説明】
【００１４】
【図１】本考案の好ましい実施の形態に係る香炉を示した斜視図である。
【図２】引き戸を開いた状態を示した図１の香炉の斜視図である。
【図３】図１に示す状態における断面図である。
【図４】図２に示す状態における断面図である。
【図５】香炉が配置されている状態を示した斜視図である。
【符号の説明】
【００１５】
１０  香炉
１２  台座
１４  後壁
１６、１８  側壁
２０  頂壁
２２  引き戸
２２ａ  脱落防止用突起
２４  溝
【図１】
0003104606.tif 000003
【図２】
0003104606.tif 000004
【図３】
0003104606.tif 000005
【図４】
0003104606.tif 000006
【図５】
0003104606.tif 000007
(57)【要約】 【課題】種々の工具を使用できると共に、工具使用に際して、ハンドルが邪魔にならないようにしたクランプを提供する。【解決手段】  Ｃ状の保持枠本体１の上方腕部１２に螺軸棒２を螺合し、螺軸棒２の下端に押圧板２１を関節継手で連結し、下方腕部１３の前記押圧板２１の対向部分に受け板部１４を設けてなり、螺軸棒２の回転操作で部材を挟圧固定するようにしたクランプにおいて、螺軸棒２の頭部２２を六角柱形状に形成すると共に、頂面にドライバー用溝２３を設け、前記頭部２２を貫通する装着孔２４を穿設し、前記装着孔２４に抜け止め端部３１を有するハンドル杆３を遊挿すると共に、他端に抜け止め体３３を螺合して構成してなる。【選択図】  図１
0003104669.tif 000002
【実用新案登録請求の範囲】
【請求項１】
Ｃ状の保持枠本体の上方腕部に螺軸棒を螺合し、螺軸棒の下端に押圧板を関節継手で連結し、下方腕部の前記押圧板の対向部分に受け板部を設けてなり、螺軸棒の回転操作で部材を挟圧固定するようにしたクランプにおいて、螺軸棒の頭部を六角柱形状に形成すると共に、頂面にドライバー用溝を設け、前記頭部を貫通する装着孔を穿設し、前記装着孔に抜け止め端部を有するハンドル杆を遊挿すると共に、他端に抜け止め体を螺合してなることを特徴とするクランプ。
【請求項２】
保持枠本体を、Ｃ状にして適宜なリブを設けた２枚の金属板を対面溶着させて形成してなる請求項１記載のクランプ。
【考案の詳細な説明】
【技術分野】
【０００１】
本考案は、主として木材加工や金属加工における部材の仮止めに使用する手持ちタイプのクランプに関するものである。
【背景技術】
【０００２】
仮止め用として使用される簡易型のクランプは、Ｃ状の保持枠本体の上方腕部に螺軸棒を螺合し、螺軸棒の下端に押圧板を関節継手で連結し、下方腕部の前記押圧板の対向部分に受け板部を設けてなり、螺軸棒の回転操作で部材を挟圧固定するようにしたものである。
【０００３】
そして螺軸棒の上端には、回転操作部としてハンドルや工具用摘み部を設けている（特許文献１）。
【０００４】
【特許文献１】特開平１１−１８８６４８号公報。
【考案の開示】
【考案が解決しようとする課題】
【０００５】
ところで、前記クランプは、部材の挟持または開放に際して螺軸棒を操作するものであるが、ハンドルによる手動操作の他に、適宜な工具（スパナ、プライヤー等）を使用して回転操作を行うこともあり、工具使用の場合にはハンドルが邪魔になる場合がある。
【０００６】
そこで本考案は種々の工具を使用できると共に、工具使用に際して、ハンドルが邪魔にならないようにした新規なクランプを提案したものである。
【課題を解決するための手段】
【０００７】
本考案に係るクランプは、Ｃ状の保持枠本体の上方腕部に螺軸棒を螺合し、螺軸棒の下端に押圧板を関節継手で連結し、下方腕部の前記押圧板の対向部分に受け板部を設けてなり、螺軸棒の回転操作で部材を挟圧固定するようにしたクランプにおいて、螺軸棒の頭部を六角柱形状に形成すると共に、頂面にドライバー用溝を設け、前記頭部を貫通する装着孔を穿設し、前記装着孔に抜け止め端部を有するハンドル杆を遊挿すると共に、他端に抜け止め体を螺合してなることを特徴とするものである。
【０００８】
従って螺軸棒の装着孔にハンドル杆を差し込み、装着孔を貫通したハンドル杆の端部に抜け止め体を螺装すると、当該ハンドル杆を使用して螺軸棒の回転操作ができるものであり、ハンドル杆を装着しない場合には、ドライバーやレンチで螺軸棒頭部を回転操作し、所定の部材保持を行うものである。
【考案の効果】
【０００９】
本考案は、上記の構成を採用しているものであるから、ハンドル杆の着脱ができ、ハンドル杆の装着で手動操作ができ、ドライバーやレンチを使用する場合には、ハンドル杆を外すことで、工具による回転操作を容易に行うことができ、クランプをより使い易くしたものである。
【考案を実施するための最良の形態】
【００１０】
次に本考案の実施形態について説明する。実施形態に示したクランプは、基本的には従前のものと同様に、保持枠本体１に螺軸棒２を装着したもので、特に本考案は更に螺軸棒２にハンドル杆３を着脱自在に設けたものである。
【００１１】
保持枠本体１は、Ｃ状にして適宜なリブ１１を設けた２枚の金属板を対面溶着させて形成したもので、上方腕部１２に螺軸棒２を螺合し、下方腕部１３における後述する押圧板２１に対向する部分に受け板部１４を設けたものである。
【００１２】
螺軸棒２は、前記保持枠本体１の上方腕部１２に螺合したもので、螺軸棒２の下端に押圧板２１を関節継手で連結し、螺軸棒２の頭部２２は六角柱形状に形成してなる。
【００１３】
更に前記頭部２２の頂面にはドライバー用溝（十字溝）２３を設け、また頭部を貫通する装着孔２４を穿設してなる。
【００１４】
ハンドル杆３は、前記装着孔２４に挿通できる太さで、一端に装着孔２４より大径となる抜け止め端部３１を設け、他端には、ネジ溝３２を形成して、抜け止め体（袋ナット）３３を螺合してなる。
【００１５】
而してハンドル杆３を装着孔２４に差し込み、装着孔２４を貫通したハンドル杆３の端部に抜け止め体３３を螺装すると、ハンドル杆３は装着孔２４内を移動可能に装着されることになり、そのままハンドル杆３を回転させて螺軸棒２の回転操作を行っても良いし、又は回転に支障がある場合には、ハンドル杆３を装着孔２４内で移動させて螺軸棒２を回転操作することができる。
【００１６】
またドライバーＡやレンチＢ等の他の工具を使用する場合、或いは使用箇所によってハンドル杆３での回転操作ができずに工具を使用する必要がある場合等において、ハンドル杆３から抜け止め体３３を外すと、ハンドル杆３は装着孔２４から引き抜くことができ、工具の使用によって螺軸棒２の回転操作ができるものである。
【図面の簡単な説明】
【００１７】
【図１】本考案の実施形態の全体斜視図。
【図２】同使用状態を示す正面図（ハンドル杆装着）。
【図３】同使用状態を示す一部正面図（ハンドル杆非装着）。
【符号の説明】
【００１８】
１        保持枠本体
１１      リブ
１２      上方腕部
１３      下方腕部
１４      受け板部
２        螺軸棒
２１      押圧板
２２      頭部
２３      ドライバー用溝（十字溝）
２４      装着孔
３        ハンドル杆
３１      抜け止め端部
３２      ネジ溝
３３      抜け止め体（袋ナット）
【図１】
0003104669.tif 000003
【図２】
0003104669.tif 000004
【図３】
0003104669.tif 000005
(57)【要約】      （修正有）【課題】テレビの枠又は前面パネルを取りかえられるようにし、テレビを使用する部屋に合わせる、又は使用者の好みに合わせられるようにする。【解決手段】目的のテレビに寸法的に合わせた枠又は前面パネル２を複数種用意しておき、使用者はそのうちのひとつを目的のテレビにかぶせる、又は前面に合わせるなどして、その時又はその後ビス３で固定する。これにより使用者は好きな枠又は前面パネルを手に入れ、使用することができるようになる。【選択図】図１
0003104666.tif 000002
【実用新案登録請求の範囲】
【請求項１】
目的のテレビに寸法的に合わせた枠又は前面パネルを複数種用意しておき、使用者が使用する枠又は前面パネルをテレビにかぶせる又は前面に合わせるなどしたとき又はその後、テレビと枠を固定する手段を枠又は前面パネル、又はテレビ、又はその双方に備えることを特徴とするテレビ。
【考案の詳細な説明】
【技術分野】
【０００１】    本考案は枠又は前面パネルが取りかえられるテレビに関する。ここで枠とは前面パネルに、側面又は上面又は底面又はそれらの内の組み合わせの全部分又は一部分が加わったものとする。
【背景技術】
【０００２】    現在のテレビはデザインが最初から決められており、部屋にあった、又は使用者の好みにあったものができなかった。
【考案の開示】
【考案が解決しようとする課題】
【０００３】    本考案はテレビの枠又は前面パネルをかえられるようにし、少しでも使用者の希望にあわせようとするものである。
【課題を解決するための手段】
【０００４】    目的のテレビに寸法的に合わせた枠又は前面パネルを複数種用意しておき、使用者はそのうちのひとつを目的のテレビにかぶせる、又は前面に合わせるなどして、その時又はその後固定する。よって固定する手段が枠又は前面パネル、又はテレビ、又は双方に備えられていなければならない。
【考案の効果】
【０００５】    これにより使用者は好きな枠又は前面パネルを手に入れ、使用することができるようになる。
【考案を実施するための最良の形態】
【０００６】    本考案は特に薄型テレビに向いている。またスイッチ類、リモコン受信部などは枠外又は前面パネル外に設置するようにすると便利である。しかし枠又は前面パネル内でも、枠又は前面パネルに開けられるふたをつけたり、穴を設けたりすることで解決はできる。
【実施例】
【０００７】    この枠又は前面パネルは色をかえるだけでも十分大きな効果がある。また枠又は前面パネルをテレビに固定する手段はビスでとめる方法や、枠又は前面パネルとテレビに凹凸を設けておく方法、その他がある。また後から取り付ける枠又は前面パネルを取り外しても原形の枠又は前面パネルが残るようにし、その枠又は前面パネルを利用して使用するようにしてもよい。
【図面の簡単な説明】
【０００８】
【図１】  薄型テレビと前面パネルとビスを分解した一例の側面図
【符号の説明】
【０００９】          １  薄型テレビ
２  前面パネル
３  ビス
【図１】
0003104666.tif 000003
(57)【要約】      （修正有）【課題】従来の渦巻き状の形状を有するクリップでは、不便な点を改善したクリップを提供することを目的とするものである。【解決手段】渦巻き状の形状１を２個以上持ち、渦巻き状の１個を書類５の固定用に使用し、他の渦巻きをメモ３の固定や開いた書類の固定に利用できる、多目的クリップ。【選択図】図２
0003104664.tif 000002
【実用新案登録請求の範囲】
【請求項１】
針金状でできたクリップにおいて、２つ以上の渦巻き状の形状を有し、針金どうしが、重ならない形状を特徴とする多目的クリップ。
【請求項２】
渦巻き状のクリップにおいて、渦巻き状の外側の端部より逆渦巻き状の形状を有し、左右対称の形状を形成する多目的クリップ。
【請求項３】
渦巻き状のクリップにおいて、渦巻き状の外側の端部より逆渦巻き状の形状を有し、メガネ状の形状を形成する多目的クリップ。
【考案の詳細な説明】
【技術分野】
【０００１】本考案は、多目的クリップに関するものであり、特に周知の紙クリップに比べて、性能が非常に改善され、まったく新しい機能を実現しうる多目的クリップに関するものである。
【背景技術】
【０００２】多くのクリップは渦巻き状を１個有し、紙を渦巻き状のどこかの部分に挟み込むように固定するのが、一般的用途である。
【考案の開示】
【考案が解決しようとする課題】
【０００３】しかし、多くのクリップは、書類を束ねて積み上げると、どこになにを積み上げたのかが、分からなくなることが、多かった。また、書類を開いたときに、開いた書類が閉じてしまう難点もあった。
【課題を解決するための手段】
【０００４】上記、課題を解決するため、本考案は、針金状の物質で出来た渦巻き状の形状を複数持つことを特徴とした多目的クリップを提供するものである。
【考案の効果】
【０００５】本考案によれば、クリップをクリップとしてだけでなく、多機能的な用途が提供できる効果がある。
【考案の実施形態】
【０００６】本考案の実施の形態として、図１の如く、渦巻き状の形状が対向して、メガネ状になっており、針金どうしが重ならない構造を有す。図２−１渦巻き状の部分に書類が挟まれる。
【考案を実施するための最良の形態】
【０００７】図２−２渦巻き状の部分に図２−３メモ書類等が挟まれる。また、図３の如く捲ったページの反対側を挟むことにより、開いた書類が、閉じることを防ぐ。
【実施例】
【０００８】図４の如く、本や書類の見開きの固定にて、見開いた本、書類が閉じることを防止することにも利用可能であり、図５の如く横にして使用することにより、２倍の強度で書類を固定することが出来る。【０００９】以上、本考案の実施形態について説明してきたが、本考案の要旨を逸脱しない範囲において、本考案の実施の形態に対して種々の変形や変更を施すことが出来、例えば、渦巻き状部分が、丸ではなく、四角や三角などがあげられる。また、材料をプラスチック加工に変えるなどが、あげられる。
【図面の簡単な説明】
【００１０】
【図１】  多機能クリップ外観図
【図２】  多機能クリップ利用例
【図３】  多機能クリップ利用例
【図４】  多機能クリップ利用例
【図５】  多機能クリップ利用例
【符号の説明】
【００１１】１．渦巻き状の形状
２．対向する渦巻き状の形状
３．メモ用紙
４．見開いた書類
５．書類
６．本
【図１】
0003104664.tif 000003
【図２】
0003104664.tif 000004
【図３】
0003104664.tif 000005
【図４】
0003104664.tif 000006
【図５】
0003104664.tif 000007
(57)【要約】【課題】  少ない部材で容易にかつ確実に座部の前方を上昇させることにより、着座中の下半身のリラックス感を高めることができ、また、横臥時においてもくつろぎ感覚を実現することができる座椅子を提供する。【解決手段】    座部２、背もたれ３および該座部２と該背もたれ３を角度調節自在に連結するラチェット金具６とを備える座椅子１において、前記座部２に、該座部２の前方を上昇させる一対の脚部１０を着脱自在に装着したことを特徴とする。前記背もたれ３の先端に一対の脚部２０を着脱自在に装着した。【選択図】      図１
0003104640.tif 000002
【実用新案登録請求の範囲】
【請求項１】
座部、背もたれおよび該座部と該背もたれを角度調節自在に連結するラチェット金具とを備える座椅子において、前記座部に、該座部の前方を上昇させる一対の脚部を着脱自在に装着したことを特徴とする座椅子。
【請求項２】
前記背もたれの先端に一対の脚部を着脱自在に装着した請求項１記載の座椅子。
【考案の詳細な説明】
【技術分野】
【０００１】
本考案は、座椅子に関し、特に座部の前方を上昇させることで、着座中のリラックス感を高めることができる座椅子に関する。
【背景技術】
【０００２】
従来、使用者の身長などの相違に関係なく、脚をひざから任意の角度で折り曲げて長時間でも疲れず、座り易いように工夫された、座り心地の良い座椅子がある（例えば特許文献１参照）。上掲特許文献１の座椅子は、３辺の長さがそれぞれ異なる角丸（角を丸く形成した）の３角形状を呈し、シート上を前後にガイドを介してスライド調節可能で、かつ回転調節可能のひざ枕を、シート上に軸支した状態で配備したことを特徴とする。
【特許文献１】特開２００３−８８４４１号公報（第１−２頁、図１、図２）
【考案の開示】
【考案が解決しようとする課題】
【０００３】
しかし、シート上にひざ枕を配備するには、製造工程や部材が多くなりコスト高になると共に、本体の重量が嵩み移動や収納面で負担が大きくなるという問題が生じた。
【０００４】
そこで本考案は、少ない部材で容易にかつ確実に座部の前方を上昇させることにより、着座中の下半身のリラックス感を高めることができ、また、横臥時においてもくつろぎ感覚を実現することができる座椅子を提供することにある。
【課題を解決するための手段】
【０００５】
上記課題を解決するために本考案の座椅子は、座部、背もたれおよび該座部と該背もたれを角度調節自在に連結するラチェット金具とを備える座椅子において、前記座部に、該座部の前方を上昇させる一対の脚部を着脱自在に装着したことを特徴とする。また、前記背もたれの先端に一対の脚部を着脱自在に装着してもよい。
【考案の効果】
【０００６】
座部に、座部の前方を上昇させる一対の脚部を装着したことにより、着座中に下半身、特に膝の位置を上昇させることができ、リラックス感を高めることができる。また、背もたれの先端に一対の脚部を装着したことにより、横臥時、頭部を上昇させることが可能となりくつろぎ感覚が高まる。さらに、脚部を取り外し可能とすることで、通常の座椅子としても使用できる。
【考案を実施するための最良の形態】
【０００７】
以下、本考案における座椅子の一実施例を図面を参照にしながら説明する。
図示する座椅子１は、座部２、背もたれ３および座部２と背もたれ３とを角度調節自在に連結するラチェット金具６とを備えている。座部２と背もたれ３とは、形状化された中空状のパイプ芯材４、５に緩衝材とカバーを被覆することにより形成されている。座部２と背もたれ３との連結部分には、背もたれ３を角度調節自在に起伏させるラチェット金具６が装着されている。
【０００８】
座部２の先端には、座部２の前方を上昇させる一対の脚部１０が着脱自在に装着されている。かかる脚部１０は、座部２の先部であって、パイプ芯材４の両隅部分に、板状の連結部材１２を介して装着される。脚部１０は、強度の高いスチール素材で筒状に形成されることが好ましい。脚部１０の本体１１の上部には雄螺子部１３が突設されている。
【０００９】
脚部１０は、雄螺子部１３を連結部材１２の雌螺子部１４に螺着することで、座部２の前方に着脱自在に装着することができる。脚部１０は、床面に対して垂直状態を維持できるように装着する。脚部１０を座部２の前方に装着することにより、図４に示すように、着座中、下半身、特に膝の位置を上昇させることができリラックス感を高めることができる。
【００１０】
本考案に係る座椅子の他の好適例として、背もたれ３の先端に、脚部２０を着脱自在に装着させることが好ましい。かかる脚部２０は、背もたれ３の先部であって、パイプ芯材５の両隅部分に、板状の連結部材２１を介して外側方向に向けて装着される。脚部２０は、脚部２０の上面の中央に突設された雄螺子部２２を連結部材２１の雌螺子部２３に螺着することで、背もたれ３先部に着脱自在に装着することができる。
【００１１】
脚部２０を背もたれ３の先部に装着させることで、図５に示すように、背もたれ３を倒伏させることにより、横臥時、膝の位置のみならず頭部を上昇させることが可能となり、より一層のくつろぎ感覚が得られる。
【００１２】
座部２の脚部１０および背もたれ３の脚部２０は、それぞれの連結部材１２、２１に螺着されるため、装着や取り外しが極めて容易となる。脚部１０、２０を取り外した場合、通常の座椅子としての使用も可能である。
【図面の簡単な説明】
【００１３】
【図１】本考案の座椅子の全体斜視図である。
【図２】前記座椅子の内部構造を示す斜視図である。
【図３】本考案の座椅子の他の好適例の内部構造を示す斜視図である。
【図４】本考案の座椅子の使用状態を示す側面図である。
【図５】本考案の座椅子の他の好適例の使用状態を示す側面図である。
【符号の説明】
【００１４】
１  座椅子
２  座部
３  背もたれ
４  パイプ芯材
５  パイプ芯材
６  ラチェット金具
１０  脚部
１１  本体
１２  連結部材
１３  雄螺子部
１４  雌螺子部
２０  脚部
２１  連結部材
２２  雄螺子部
【図１】
0003104640.tif 000003
【図２】
0003104640.tif 000004
【図３】
0003104640.tif 000005
【図４】
0003104640.tif 000006
【図５】
0003104640.tif 000007
(57)【要約】      （修正有）【課題】誰でも簡単に持ち運びが出来て、誰でも簡単に取り扱いが出来て、コスト的にも安価で便利な階段昇降用補助具を開発・提供する。【解決手段】左右何れか片方の足又は靴裏面部に装着して階段を楽に昇降する為の補助具であって、該補助具は通常階段の１段分の高さのほぼ１／２の高さを有し、且つ、所定の幅と所定の長さを有する脱落防止用縁１ａ付の靴底１を設け、且つ、該靴底の前後方向ほぼ中央上部に左右を結合して、足又は靴の甲部に固着可能な面ファスナー２ａ付固定バンド等の係止部材２を設けたものである。【選択図】図１
0003104632.tif 000002
【実用新案登録請求の範囲】
【請求項１】
左右何れか片方の足又は靴裏面部に装着して階段を楽に昇降する為の補助具であって、該補助具は通常階段（ＳＴ）の１段分の高さ（Ｈ）のほぼ１／２の高さ（Ｈ’）を有し、且つ、所定の幅（Ｗ）と所定の長さ（Ｌ）を有する脱落防止用縁（１ａ）付の靴底（１）を設け、且つ、該靴底（１）の前後方向ほぼ中央上部に左右を結合して足又は靴（Ｓ）の甲部に固着可能な面ファスナー（２ａ）付固定バンド等の係止部材（２）を設けた事を特徴とする階段昇降用補助具。
【考案の詳細な説明】
【技術分野】
【０００１】
この考案は、通常の階段を昇降する際に、膝の負担を少なくして楽に昇降する為の階段昇降用補助具に関するものである。
【背景技術】
【０００２】
従来、特にお年寄りや膝に持病を持った人には階段の昇降は負担が大きく、最近では老人介護対策の一環として、急な階段のある住宅や病院や施設等には電動式の座椅子付昇降機が設置されている所がある。
【０００３】
しかし、上記の様な設備は高価で一般の家庭には不向きで実用性に欠ける。そこで、考案されたのが、階段の端部に補助階段を設置して膝の負担を和らげる方法が考案され、出願されている。（参考文献１を参照。）
【特許文献１】特開２０００−２２６９１９
【０００４】
上記考案の欠点は、階段の端部に常時設置する為、階段のスペースが狭くなり、足の良い健康な人に取ってみれば、煩わしさが残る。又、持ち運びが出来ない為、補助階段が設置されていない場所では、上記と同様の問題が発生する。
【考案の開示】
【考案が解決しようとする課題】
【０００５】
そこで、この考案は、上記の問題を解決する為に、誰でも簡単に持ち運びが出来て、誰でも簡単に取り扱いが出来て、コスト的にも安価で便利な階段昇降用補助具の開発・提供をする事にある。
【課題を解決するための手段】
【０００６】
この課題を解決する為の手段として、この考案は左右何れか片方の足又は靴裏面部に装着して階段を楽に昇降する為の補助具であって、該補助具は通常階段の１段分の高さのほぼ１／２の高さを有し、且つ、所定の幅と所定の長さを有する脱落防止用縁付の靴底を設け、且つ、該靴底の前後方向ほぼ中央上部に左右を結合して、足又は靴の甲部に固着可能な面ファスナー付固定バンド等の係止部材を設けたものである。
【考案の効果】
【０００７】
この考案である補助具は通常階段の１段分の高さのほぼ１／２の高さを有し、且つ、所定の幅と所定の長さを有する脱落防止用縁付の靴底を設け、且つ、該靴底の前後方向ほぼ中央上部に左右を結合して、足又は靴の甲部に固着可能な面ファスナー付固定バンド等の係止部材を設ける事で、階段を昇降する時、膝の負担を１／２〜１／４軽減する事が出来る。又、取り扱いが簡単で軽量な為、誰でも簡単に使用出来て、どこにでも容易に持ち運びが出来て便利である等、極めて有益なる効果を奏するものである。
【考案を実施するための最良の形態】
【０００８】
この考案を実施する為の最良の形態としては、屋内用と屋外用の２足あると便利である。例えば、屋内で使用する時は、靴を履かないし、汚れる事は無いが、屋外で使用する時は、靴を履いたまま外で使用する為、補助具が汚れてしまう為、屋内用と屋外用の２足を上手に使い分けて使用すれば、その都度洗う必要も無く非常に便利である。
【実施例１】
【０００９】
そこで、この考案の一実施例を図１に基づいて詳述すると、左右何れか片方の足又は靴裏面部に装着して階段を楽に昇降する為の補助具であって、該補助具は通常階段（ＳＴ）の１段分の高さ（Ｈ）のほぼ１／２の高さ（Ｈ’）を有し、且つ、所定の幅（Ｗ）と所定の長さ（Ｌ）を有する脱落防止用縁（１ａ）付の靴底（１）を設け、且つ、該靴底（１）の前後方向ほぼ中央上部に左右を結合して、足又は靴（Ｓ）の甲部に固着可能な面ファスナー（２ａ）付固定バンド等の係止部材（２）を設けた事を特徴とする階段昇降用補助具から構成される。
【００１０】
次に、この考案である補助具の靴底（１）の寸法サイズと材質について説明すると、まず、全高（Ｈ’）の寸法サイズは通常の階段の１段の高さが約２００ｍｍ前後であり、その１／２の約１００ｍｍで、全幅が約１１０ｍｍで、全長が約２７０ｍｍで、靴底上部の脱落防止用縁の高さ（Ｂ）は約４０ｍｍで、材質は軽量で耐磨耗性の良い硬質ウレタンゴム等を使用。但し、環境や使用場所等に応じて、最適な材質に変更しても良い。
【００１１】
又、足又は靴（Ｓ）の甲部に固着する為の係止部材（２）は、全幅が約３０ｍｍで、全長が約４５０ｍｍの布製ゴムバンドで、両端の表裏に面ファスナー（２ａ）を縫着したもので靴底上部中央部に矩形状の通し穴を設け、そこに嵌挿して設けたものである。
【００１２】
次に、この考案の使用方法について説明すると、この補助具は左右兼用型で、例えば補助具を右足に装着して使用する場合は、図２に示す様に、昇る時には階段（ＳＴ）の１段目は補助具を装着していない方の左足側から踏み出し、その後補助具を装着している方の右足側を同１段目に載せる。その後２段目以降は１段目と同様に左・右と交互に両足を階段に預けながら昇って行く。又、補助具を左足に装着して使用する場合は、上記と逆の要領で階段（ＳＴ）の１段目は右足側から踏み出して、その後左足側を同１段目に載せる。その後２段目以降は１段目と同様に右・左と交互に両足を階段に預けながら昇って行く。但し、降りる時は、昇る時とは逆で、左又は右装着の何れも補助具を装着している方の足を最初に踏み出し、１段ずつ両足を揃えて預けながら降りて行く。
【産業上の利用可能性】
【００１３】
この考案の階段昇降用補助具は、誰でも簡単に持ち運びが出来て、誰でも簡単に取り扱いが出来て、コスト的にも安価で便利である事で、広範囲の市場に寄与する点で産業上の利用可能性を有する。
【図面の簡単な説明】
【００１４】
【図１】この考案の一実施例を示し、斜視図である。
【図２】この考案の使用例を示し、屋外使用時で昇る時の要領図で斜視図である。
【符号の説明】
【００１５】
１    靴底
１ａ  脱落防止用縁
２    係止部材
２ａ  面ファスナー
Ｂ    脱落防止用縁の高さ寸法
Ｌ    靴底の全長
Ｈ    階段一段の高さ
Ｈ’  靴底の全高
Ｓ    靴
Ｗ    靴底の全幅
【図１】
0003104632.tif 000003
【図２】
0003104632.tif 000004
(57)【要約】      （修正有）【課題】寿命が極めて長く、高輝度を有し、温度上昇が低くて安全な照明手段により仏壇の内部を照明するようにした照明装置付き仏壇を提供する。【解決手段】仏壇１１の内部を照明する照明手段として冷陰極蛍光ランプ２３を仏壇１１内に取り付けたことを特徴とする照明装置付き仏壇。仏壇１１内に立設した柱１９の裏面に上下方向の溝を備えさせ、該溝に前記冷陰極蛍光ランプ２３を取り付ける。【選択図】図２
0003104637.tif 000002
【実用新案登録請求の範囲】
【請求項１】
仏壇の内部を照明する照明手段として冷陰極蛍光ランプを仏壇内に取り付けたことを特徴とする照明装置付き仏壇。
【請求項２】
仏壇内に立設した柱の裏面に上下方向の溝を備えさせ、該溝に前記冷陰極蛍光ランプを取り付けたことを特徴とする請求項１に記載の照明装置付き仏壇。
【考案の詳細な説明】
【技術分野】
【０００１】
本考案は、照明装置付き仏壇に関するものであり、更に詳しくは、仏壇の内部を照明する照明手段を備えた照明装置付き仏壇に係るものである。
【背景技術】
【０００２】
照明装置付き仏壇としては、小型の白熱電球を備えた灯籠（図２における符号１参照）を天井から吊下げてなる仏壇が従来より使用されている。
【０００３】
また、実開平５−３１６７９号公報は、小型の白熱電球を床面に取り付けてなる仏壇を開示している。
【特許文献１】実開平５−３１６７９号公報
【考案の開示】
【考案が解決しようとする課題】
【０００４】
しかるに、上記従来の照明装置付き仏壇においては、仏壇の内部を照明する照明手段として白熱電球が用いられているため、次のような問題が生じている。
【０００５】
（イ）白熱電球は切れ易い。即ち、白熱電球の寿命は短く、例えば約１，０００時間に過ぎない。
【０００６】
（ロ）白熱電球は、十分な明るさがなく、仏壇内部の仏像や位牌等を好ましく照らすことができない。
【０００７】
（ハ）白熱電球は、熱を帯びるため、火災等の原因となるおそれがある。
【０００８】
本考案は、上記従来の照明装置付き仏壇における上述の如き問題を解決しようとしてなされたものである。
【課題を解決するための手段】
【０００９】
上記課題を解決するために、本考案は下記の照明装置付き仏壇を提供する。
【００１０】
（１）仏壇の内部を照明する照明手段として冷陰極蛍光ランプを仏壇内に取り付けたことを特徴とする照明装置付き仏壇（請求項１）。
【００１１】
（２）仏壇内に立設した柱の裏面に上下方向の溝を備えさせ、該溝に前記冷陰極蛍光ランプを取り付ける（請求項２）。
【考案の効果】
【００１２】
［請求項１の考案］
仏壇の内部を照明する照明手段として冷陰極蛍光ランプを仏壇内に取り付けているため、請求項１の考案は、次のような優れた効果を発揮する。
【００１３】
（ａ）冷陰極蛍光ランプは、寿命が極めて長く、２０，０００時間以上に及ぶ。
【００１４】
（ｂ）冷陰極蛍光ランプは、高輝度を有し、仏壇内部に安置されている仏像、位牌等を明るく照らして浮かび上がらせる。
【００１５】
（ｃ）冷陰極蛍光ランプは、低消費電力のため、温度上昇が低い。従って、冷陰極蛍光ランプは火災の原因となるおそれがない。
【００１６】
［請求項２の考案］
仏壇内に立設した柱の裏面に上下方向の溝を備えさせ、該溝に冷陰極蛍光ランプを取り付けるようにしているため、該冷陰極蛍光ランプは仏壇の正面外方からは見えず、体裁面でも申し分ない。特に、極めて細径の冷陰極蛍光ランプを用いたときには、該冷陰極蛍光ランプは柱の裏面の溝に好ましく隠れる。
【考案を実施するための最良の形態】
【００１７】
符号１１に示すものは仏壇である。仏壇１１は、その種類、形状、大きさ、材質等の如何を問わない。
【００１８】
符号１３に示すものは、仏壇１１の開閉扉である。開閉扉１３を開いたときには、仏壇１１の内部に仏像１５、位牌１７、柱１９、内部柱２１等が仏壇１１の正面外方から見える。
【００１９】
仏壇１１の内部を照明する照明手段として冷陰極蛍光ランプ２３を仏壇１１内に取り付ける。
【００２０】
冷陰極蛍光ランプ２３は、仏壇１１の正面外方から見えない位置に取り付けることが望ましい。
【００２１】
図示の事例においては、仏壇１１内における仏像１５の前方に立設した柱１９の裏面に上下方向の溝２５を備えさせ、該溝２５に受け具２７を嵌着し、該受け具２７に冷陰極蛍光ランプ２３を取り付けている。冷陰極蛍光ランプ２３の直径は、好ましくは、２．０〜３．０ｍｍとする。
【００２２】
冷陰極蛍光ランプ２３は、例えば液晶ディスプレイのバックライト光源等としても用いられ、種々の形状のものが販売されているが、図示の事例においては、細径の直管が用いられている。
【図面の簡単な説明】
【００２３】
【図１】本考案による照明装置付き仏壇の一例を示す正面図である。
【図２】仏壇の断面図である。
【図３】冷陰極蛍光ランプを柱の裏面に形成された溝に取り付けた状態を示す断面図である。
【符号の説明】
【００２４】
１  灯籠
１１  仏壇
１３  開閉扉
１５  仏像
１７  位牌
１９  柱
２１  内部柱
２３  冷陰極蛍光ランプ
２５  溝
２７  受け具
【図１】
0003104637.tif 000003
【図２】
0003104637.tif 000004
【図３】
0003104637.tif 000005